(57)【要約】【課題】  マルチメディア放送マルチキャストサービスのための呼出し方法に関する。【解決手段】  複数の呼出し識別チャンネルを有する移動通信システムで、使用者端末機が複数の呼出し識別チャンネルにより呼出しチャンネルを受信する方法において、複数の呼出し識別チャンネルのうち自分に割り当てられた呼出し識別チャンネルが存在するときこれを受信するステップと、受信された呼出し識別チャンネルの未使用領域に設定された放送サービス呼出し識別子により特定の放送サービスに対応した第２呼出しチャンネルが伝送されることを確認するステップと、呼出し識別チャンネルを受信した使用者端末機のうち第２呼出しチャンネルが伝送されることを確認したすべての使用者端末機が第２呼出しチャンネルを共通に受信するステップと、を備える。【選択図】  図７
2004159334.tif 000002
【特許請求の範囲】
【請求項１】
特定の放送サービスを要請した使用者端末機を呼び出すために所定の周期で連続して伝送される複数の呼出しチャンネルと前記複数の呼出しチャンネルのうち連続して伝送される第１及び第２呼出しチャンネルの間で伝送される複数の呼出し識別チャンネルを有する移動通信システムで、前記使用者端末機が前記複数の呼出し識別チャンネルにより呼出しチャンネルを受信する方法において、
前記複数の呼出し識別チャンネルのうち自分に割り当てられた呼出し識別チャンネルが存在するときこれを受信するステップと、
前記受信された呼出し識別チャンネルの未使用領域に設定された放送サービス呼出し識別子により前記特定の放送サービスに対応した前記第２呼出しチャンネルが伝送されることを確認するステップと、
前記呼出し識別チャンネルを受信した使用者端末機のうち前記第２呼出しチャンネルが伝送されることを確認したすべての使用者端末機が前記第２呼出しチャンネルを共通に受信するステップと、を備えることを特徴とする方法。
【請求項２】
前記呼出し識別チャンネルの割当ては、ＤＲＸパラメータにより行われる請求項１記載の方法。
【請求項３】
１個以上の使用者端末機と前記使用者端末機が位置するセルと１個以上のセルを管理する無線網制御器が、前記セルを通じてサービス別に放送サービスを提供する無線網制御器を含む移動通信システムで前記無線網制御器が前記放送サービスの開始を知らせる方法において、
前記放送サービス別に該当使用者端末機を呼び出すための通知メッセージの受信時点に関する情報を前記使用者端末機へ伝送するステップと、
前記使用者端末機が前記通知メッセージを前記受信時点に関する情報により受信することができるように伝送するステップと、を備えることを特徴とする方法。
【請求項４】
前記受信時点に関する情報は、前記通知メッセージの受信を最初に開始する時点に関する情報と前記通知メッセージが所定の回数だけ反復して伝送されるとき、前記反復して伝送される通知メッセージを受信するための周期に関する情報である請求項３記載の方法。
【請求項５】
前記通知メッセージは呼出しメッセージであり、前記無線網制御器は、前記呼出しメッセージの伝送に先立って呼出し識別メッセージを伝送する請求項３記載の方法。
【請求項６】
前記呼出し識別メッセージは、前記放送サービス別呼出しメッセージの伝送を示す識別子を含む請求項５記載の方法。
【請求項７】
前記受信時点に関する情報は、前記放送サービスを区分するために割り当てられた放送サービス識別子により決定される請求項４記載の方法。
【請求項８】
前記受信時点に関する情報は、下記数式によって決定される請求項７記載の方法。
【数１】
2004159334.tif 000005
ここで、ＰＡＧＩＮＧ＿ＩＮＴＥＲＶＡＬは、前記反復して伝送される通知メッセージを受信するための周期に関する情報であり、前記ＰＡＧＩＮＧ＿ＩＮＴＥＲＶＡＬは、２ＰＡＧＩＮＧ＿ＩＮＴＥＲＶＡＬ_ＣＯＥＦＦであり、前記ＰＡＧＩＮＧ＿ＩＮＴＥＲＶＡＬ＿ＣＯＥＦＦは、０〜９までの整数のうち１つであり、ｎは、正の整数(ｎ＝１，２，...)であり、ＴＭＧＩは放送サービスの識別子であり、Ｋは、前記使用者端末機が属したセルにセットアップされている前記通知メッセージを伝送する物理チャンネルの数である。
【請求項９】
セルと、前記セルに位置する複数の使用者端末機と、前記セルを通じて使用者端末機別に放送サービスを提供する無線網制御器と、前記無線網制御器と前記放送サービスを提供するために通信を遂行する核心網を含む移動通信システムで前記使用者端末機が前記放送サービスの開始を通報する方法において、
前記無線網制御器から前記放送サービスの開始を知らせる呼出し識別メッセージの受信周期とその受信開始位置に関連した情報を受信するステップと、
前記受信周期及び前記オフセット情報に従って呼出し情報を受信するステップと、を備えることを特徴とする方法。
【請求項１０】
セルと、前記セルに位置する複数の使用者端末機と、前記セルを通じて使用者端末機別に放送サービスを提供する無線網制御器と、前記無線網制御器と前記放送サービスを提供するために通信を遂行する核心網を含む移動通信システムで前記放送サービスの開始を知らせる方法において、
前記核心網が前記使用者端末機からの前記放送サービスの要請に応答したメッセージを通じて前記放送サービスの開始を知らせる通知メッセージの受信時点に関する情報を伝送するステップと、
前記使用者端末機が前記受信時点に関する情報を受信し、前記通知メッセージを前記受信時点に関する情報により受信するステップと、を備えることを特徴とする方法。
【請求項１１】
前記核心網は、前記応答メッセージを通じて前記放送サービスを区分するために割り当てられた放送サービス識別子を伝送する請求項１０記載の方法。
【請求項１２】
前記受信時点に関する情報は、前記通知メッセージの受信を最初に開始する時点に関する情報と、前記通知メッセージが所定の回数だけ反復して伝送されるとき、前記反復して伝送される通知メッセージを受信するための周期に関する情報である請求項１０記載の方法。
【請求項１３】
前記受信時点に関する情報は、前記放送サービスを区分するために割り当てられた放送サービス識別子により決定される請求項１２記載の方法。
【請求項１４】
前記受信時点に関する情報は、下記数式によって決定される請求項１３記載の方法。
【数２】
2004159334.tif 000006
ここで、ＰＡＧＩＮＧ＿ＩＮＴＥＲＶＡＬは、前記反復して伝送される通知メッセージを受信するための周期に関する情報であり、前記ＰＡＧＩＮＧ＿ＩＮＴＥＲＶＡＬは、２ＰＡＧＩＮＧ＿ＩＮＴＥＲＶＡＬ_ＣＯＥＦＦであり、前記ＰＡＧＩＮＧ＿ＩＮＴＥＲＶＡＬ＿ＣＯＥＦＦは、０〜９までの整数のうち１つであり、ｎは、正の整数(ｎ＝１，２，...)であり、ＴＭＧＩは放送サービスの識別子であり、Ｋは、前記使用者端末機が属したセルにセットアップされている前記通知メッセージを伝送する物理チャンネルの数である。
【請求項１５】
第１サービス(一般サービス)と、前記第１サービスとは異なる第２サービス(ＭＢＭＳサービス)を提供するために前記第１サービスに関連した呼出しがあることを示す第１呼出し表示情報領域と前記第２サービスに関連した呼出しがあることを示す第２呼出し表示情報領域とを含む呼出し表示チャンネル信号を伝送する移動通信システムで前記第２サービスに関連した呼出し情報を伝送する方法において、
前記第２サービス呼出し情報を伝送する伝送周期及びその伝送開始位置を知らせるためのオフセット情報を伝送するステップと、
前記オフセット情報に相応するように決定した伝送開始位置で前記第２サービス呼出し情報を所定の回数だけ反復して伝送するステップと、を備えることを特徴とする方法。
【請求項１６】
前記伝送周期及びオフセット情報は、前記第２サービス別に決定される請求項１５記載の方法。
【請求項１７】
前記伝送周期及びオフセット情報を共通チャンネルを通じて前記第２サービス別に要請された使用者端末機へ伝送するステップをさらに含む請求項１５記載の方法。
【請求項１８】
前記伝送周期及びオフセット情報をフレームプロトコルのデータフレームを通じて前記第２サービスを提供する基地局へ伝送するステップをさらに含む請求項１５記載の方法。
【請求項１９】
前記データフレームは、前記伝送周期に相応するように前記呼出し表示チャンネルを伝送すべき区間を示す情報及び前記第２サービスを示す識別子情報を備える請求項１８記載の方法。
【請求項２０】
第１サービスと、前記第１サービスとは異なる第２サービスを提供するために前記第１サービスに関連した呼出しがあることを示す第１呼出し表示情報領域と前記第２サービスに関連した呼出しがあることを示す第２呼出し表示情報領域とを含む呼出し表示チャンネル信号を伝送する移動通信システムで前記第２サービスに関連した呼出し情報を伝送する方法において、
使用者端末機から前記第２サービス受信要求を感知すると、サービスパケット無線サービス支援ノードが前記第２サービスに関連した呼出し情報を伝送する伝送周期及びその伝送開始位置を知らせるためのオフセット情報を無線網制御器へ伝送するステップと、
前記無線網制御器から前記使用者端末機へ前記第２呼出し表示情報領域を含む呼出し表示チャンネル信号を伝送するステップと、
前記無線網制御器から前記使用者端末機へ前記呼出し表示チャンネル信号を伝送した後、前記オフセット情報に該当する伝送開始位置で前記第２サービス呼出し情報を所定の回数だけ反復して伝送するステップと、を備えることを特徴とする方法。
【請求項２１】
前記伝送周期及びオフセット情報は、前記第２サービスのサービス別に決定される請求項２０記載の方法。
【請求項２２】
前記伝送周期及びオフセット情報は、前記第２サービスのサービス別に与えられるサービス識別子に対する関数で決定されるか、または所定の値で決定される請求項２１記載の方法。
【請求項２３】
前記関数は、下記数式によって表現される請求項２２記載の方法。
【数３】
2004159334.tif 000007
ここで、ＰＡＧＩＮＧ＿ＩＮＴＥＲＶＡＬは、前記反復して伝送される通知メッセージを受信するための周期に関する情報であり、前記ＰＡＧＩＮＧ＿ＩＮＴＥＲＶＡＬは、２ＰＡＧＩＮＧ＿ＩＮＴＥＲＶＡＬ_ＣＯＥＦＦであり、前記ＰＡＧＩＮＧ＿ＩＮＴＥＲＶＡＬ＿ＣＯＥＦＦは、０〜９までの整数のうち１つであり、ｎは、正の整数(ｎ＝１，２，...)であり、ＴＭＧＩは放送サービスの識別子であり、Ｋは、前記使用者端末機が属したセルにセットアップされている前記通知メッセージを伝送する物理チャンネルの数である。
【請求項２４】
前記伝送周期及びオフセット情報は、所定の値で設定される請求項２１記載の方法。
【請求項２５】
前記無線網制御器から前記伝送周期及びオフセット情報を共通チャンネルを通じて前記使用者端末機へ伝送するステップをさらに備える請求項２０記載の方法。
【請求項２６】
前記 無線網制御器から前記伝送周期及びオフセット情報をフレームプロトコルのデータフレームを通じて基地局へ伝送するステップをさらに備える請求項２０記載の方法。
【請求項２７】
前記データフレームは、前記伝送周期に相応するように前記呼出し表示チャンネルを伝送すべき区間を示す情報と前記第２サービスを示す識別子情報とを備える請求項２６記載の方法。
【請求項２８】
第１サービスと、前記第１サービスとは異なる第２サービスを提供するために前記第１サービスに関連した呼出しがあることを示す第１呼出し表示情報を含む第１呼出し表示情報領域と前記第２サービスに関連した呼出しがあることを示す第２呼出し表示情報を含む第２呼出し表示情報領域とを有する呼出し表示チャンネル信号を受信する移動通信システムで前記第２サービスに関連した呼出し情報を受信する方法において、
前記第２サービス呼出し情報を受信する受信周期及びその受信開始位置を知らせるオフセット情報を受信するステップと、
所定の時点で前記呼出し表示チャンネル信号を受信し、前記呼出し表示チャンネル信号から前記第２呼出し表示情報を感知するステップと、
前記第２呼出し表示情報が前記第２サービスの呼出し情報があることを示すと、前記受信周期及び前記オフセット情報に相応するように前記第２サービス呼出し情報を受信するステップと、を備えることを特徴とする方法。
【請求項２９】
前記第２サービス呼出し情報を受信するステップは、前記第２呼出し表示情報を検出した時点でオフセット情報に相応する受信開始位置がすでに経過された場合には、次回受信開始位置で前記第２サービス呼出し情報を受信する請求項２８記載の方法。
【請求項３０】
前記受信周期及びオフセット情報は、セル単位でそのチャンネル状況に相応して決定される請求項２８記載の方法。
【請求項３１】
第１サービスと、前記第１サービスとは異なる第２サービスを提供するために前記第１サービスに関連した呼出しがあることを示す第１サービス呼出し識別子と、前記第１サービスに関連した呼出し情報が伝送される位置情報を含む第１サービス呼出し情報ビットマップをフレームプロトコルメッセージを利用して伝送する移動通信システムで前記第２サービスに関連した呼出し情報を伝送する方法において、
前記第２サービスに関連した呼出し情報を伝送すべきことを感知すると、前記第２サービスに関連した呼出しの存在を示す第２サービス呼出し識別子と、前記第２サービスに関連した呼出しが存在するか否かを示す第２サービス呼出し情報ビットマップを含むフレームプロトコルメッセージを生成するステップと、
前記生成されたフレームプロトコルメッセージを基地局へ伝送するステップと、を備えることを特徴とする方法。
【請求項３２】
前記フレームプロトコルメッセージは、前記第２サービスに関連した呼出し情報が伝送される位置情報をさらに備える請求項３１記載の方法。
【請求項３３】
前記第２サービスに関連した呼出し情報を伝送すべきことを感知するステップは、サービスパケット無線サービス支援ノードから前記第２サービス活性化要請に対する応答を受信する請求項３１記載の方法。
【発明の詳細な説明】
【技術分野】
【０００１】
本発明は、移動通信システムに関し、特に、マルチメディア放送マルチキャストサービスのための呼出し方法に関する。
【背景技術】
【０００２】
近年、通信産業の発達により符号分割多重接続(Code Division Multiple Access；以下、“ＣＤＭＡ”と略称する。)移動通信システムで提供するサービスは、音声サービスのみならずパケットデータ、サーキットデータなどのような大きな容量のデータを伝送するマルチキャスティングマルチメディア通信に発展している。従って、前記マルチキャスティングマルチメディア通信を支援するために１つのデータソースで複数の使用者端末機(User Equipment；以下、“ＵＥ”と略称する。)にサービスを提供する放送／マルチキャストサービス(Broadcast/Multicast Service)がある。前記放送／マルチキャストサービスは、メッセージ中心のサービスであるセル放送サービス(Cell Broadcast Service；以下、“ＣＢＳサービス”と略称する。)と実時間映像及び音声、静止映像、文字などのようなマルチメディアデータを支援するマルチメディア放送マルチキャストサービス(Multimedia Broadcast/Multicast Service；以下、“ＭＢＭＳ”と略称する。)に区分することができる。
【０００３】
図１は、移動通信システムでＭＢＭＳサービスを提供するためのネットワーク構造を概略的に示す。
図１を参照すると、まず、放送／マルチキャストサービスセンター(Broadcast/Multicast- Service Center；以下、“ＢＭ−ＳＣ”と略称する。)１１０は、ＭＢＭＳストリーム(stream)を提供するソース(source)であり、前記ＢＭ−ＳＣ１１０は、ＭＢＭＳサービスに対するストリームをスケジューリング(scheduling)して伝送ネットワーク(transit N/W)１１１へ伝達する。前記伝送ネットワーク１１１は、前記ＢＭ−ＳＣ１１０とサービスパケット無線サービス支援ノード(Serving GPRS Support Node；以下、“ＳＧＳＮ”と略称する。)１００との間に存在するネットワーク(network)を意味し、前記ＢＭ−ＳＣ１１０から受信されたＭＢＭＳサービスに対するストリームを前記ＳＧＳＮ１００へ伝達する。ここで、前記ＳＧＳＮ１００は、コアネットワーク(Core Network；以下、“ＣＮ”と略称する。)に属しており、ＵＴＲＡＮ(ＵＭＴＳTerrestrial Radio Access Network)及びＣＮの連結機能を行う。前記伝送ネットワーク１１１でＭＢＭＳサービスに対するストリームを受信したＳＧＳＮ１００は、ＭＢＭＳサービスを受けようとする加入者、すなわち、ＵＥのＭＢＭＳ関連サービスを制御する機能、例えば、加入者のそれぞれのＭＢＭＳサービス課金関連データを管理し、ＭＢＭＳサービスデータを特定の無線網制御器(Radio Network Controller；以下、“ＲＮＣ”と略称する。)１０１に選択的に伝送することを制御する。
【０００４】
また、前記ＳＧＳＮ１００は、前記ＭＢＭＳサービスＸに対してサービスコンテキスト(SERVICE CONTEXT)を構成して管理し、前記ＭＢＭＳサービスに対するストリームを前記ＲＮＣ１０１にさらに伝達する。前記ＭＢＭＳサービスコンテキストは、任意のＭＢＭＳサービスを提供するために必要な制御情報の集合を意味する。前記ＲＮＣ１０１は複数のＮｏｄｅ Ｂ１０２及び１０３(セル１及びセル２)を制御し、自分が管理しているＮｏｄｅ ＢのうちＭＢＭＳサービスＸを要求するＵＥが存在するＮｏｄｅ ＢにＭＢＭＳサービスデータを伝送し、また、前記ＭＢＭＳサービスＸを提供するために設定される無線チャンネル(radio channel)を制御し、前記ＳＧＳＮ１００から受信されたＭＢＭＳサービスに対するストリームを利用して前記ＭＢＭＳサービスＸに対してＲＮＣサービスコンテキストを構成して管理する。図１に示すように、１つのＮｏｄｅ Ｂ、例えば、Ｎｏｄｅ Ｂ１０２とこのＮｏｄｅ Ｂ１０２に属するＵＥ１０４、１０５、及び１０６(ＵＥ１、ＵＥ２、及びＵＥ３)との間には、ＭＢＭＳサービスを提供するために１つの無線チャンネルのみが構成される。そして、ホーム位置登録器(Home Location Register；ＨＬＲ：図示せず)は、前記ＳＧＳＮ１００と連結されてＭＢＭＳサービスのための加入者認証を遂行する。
【０００５】
前述したように、前記ＲＮＣ１０１及びＳＧＳＮ１００は、ＭＢＭＳサービス別にサービス関連情報を管理し、前記ＭＢＭＳサービス別に管理される関連情報をＭＢＭＳサービスコンテキストと定義する。ここで、前記ＭＢＭＳサービスコンテキストは、ＭＢＭＳサービスの受信を所望するＵＥのリスト、すなわち、ＭＢＭＳサービスの受信を所望するＵＥのＵＥ識別子(Identifier)と、前記ＵＥが位置しているサービス領域(service area)及びＭＢＭＳサービスを提供するために要求されるサービス品質(Quality of Service；以下、“ＱｏＳ”と略称する。)のような情報などを含む。
【０００６】
ここで、任意のＭＢＭＳサービスを提供するためには、まず前記ＭＢＭＳサービスに対する基本情報がＵＥに伝達されなければならなく、前記ＭＢＭＳサービスに対する基本情報を受信したＵＥが前記任意のＭＢＭＳサービスを受信しようとする場合、そのＵＥのリストをネットワーク(network)へ伝達しなければならない。このように、ネットワークで前記任意のＭＢＭＳサービスの受信を所望するＵＥのリストを受信すると、前記ネットワークは、前記ＵＥを呼び出して前記ＭＢＭＳサービスを提供するための無線ベアラー(Radio Bearer)を設定しなければならない。このように前記ＵＥと無線ベアラーが設定された後、前記設定された無線ベアラーを通じて前記任意のＭＢＭＳサービスを提供する。一方、前記ＭＢＭＳサービスが終了されると、その終了事実がすべてのＵＥに通報されなければならなく、これに従って、すべてのＵＥは、前記ＭＢＭＳサービスのために割り当てたすべての資源(resource)を解除(release)しなければ正常的なＭＢＭＳサービスが不能である。
【０００７】
前述したように、ＭＢＭＳサービスを提供するためには、ネットワークとＵＥとの間に複数の制御メッセージ(control message)が送受信されなければならなく、前記制御メッセージを送受信するためには、前記ネットワークが前記ＵＥを呼び出さなければならない。しかし、現在前記ＭＢＭＳサービスを提供するための別途の呼出し手順(paging process)が定義されていないからＭＢＭＳサービスのための呼出し手順に対する必要性が要求されている。
【発明の開示】
【発明が解決しようとする課題】
【０００８】
上記背景に鑑みて、本発明の目的は、ＭＢＭＳサービスを提供する移動通信システムでＭＢＭＳサービス別呼出し方法を提供することにある。
本発明の他の目的は、ＭＢＭＳサービスを提供する移動通信システムでＭＢＭＳサービス別呼出しが存在するか否かを知らせる方法を提供することにある。
本発明のまた他の目的は、ＭＢＭＳサービスを提供する移動通信システムでＲＮＣがＭＢＭＳサービス別呼出しを受信するための情報を決定する方法を提供することにある。
本発明のさらに他の目的は、ＭＢＭＳサービスを提供する移動通信システムでＣＮがＭＢＭＳサービス別呼出しを受信するための情報を決定する方法を提供することにある。
本発明のなお他の目的は、ＲＮＣがＮｏｄｅ Ｂに前記ＭＢＭＳサービスの呼出し情報及び前記呼出し情報の伝送のために必要な情報を伝送する方法を提供することにある。
【課題を解決するための手段】
【０００９】
このような目的を達成するために、本発明によれば、特定の放送サービスを要請したＵＥを呼び出すために所定の周期で連続して伝送される複数の呼出しチャンネルと前記複数の呼出しチャンネルのうち連続して伝送される第１及び第２呼出しチャンネルの間で伝送される複数の呼出し識別チャンネルを有する移動通信システムで、前記ＵＥが前記複数の呼出し識別チャンネルにより呼出しチャンネルを受信する方法において、前記複数の呼出し識別チャンネルのうち自分に割り当てられた呼出し識別チャンネルが存在するときこれを受信するステップと、前記受信された呼出し識別チャンネルの未使用領域に設定された放送サービス呼出し識別子により前記特定の放送サービスに対応した前記第２呼出しチャンネルが伝送されることを確認するステップと、前記呼出し識別チャンネルを受信したＵＥのうち前記第２呼出しチャンネルが伝送されることを確認したすべてのＵＥが前記第２呼出しチャンネルを共通に受信するステップと、を備えることを特徴とする。
【００１０】
また、本発明によれば、１個以上のＵＥと前記ＵＥが位置するセルと１個以上のセルを管理するＲＮＣが、前記セルを通じてサービス別に放送サービスを提供するＲＮＣを含む移動通信システムで前記ＲＮＣが前記放送サービスの開始を知らせる方法において、前記放送サービス別に該当ＵＥを呼び出すための通知メッセージの受信時点に関する情報を前記ＵＥへ伝送するステップと、前記ＵＥが前記通知メッセージを前記受信時点に関する情報により受信することができるように伝送するステップと、を備えることを特徴とする。
【００１１】
さらに、本発明によれば、第１サービスと、前記第１サービスとは異なる第２サービスを提供するために前記第１サービスに関連した呼出しがあることを示す第１呼出し表示情報領域と前記第２サービスに関連した呼出しがあることを示す第２呼出し表示情報領域とを含む呼出し表示チャンネル信号を伝送する移動通信システムで前記第２サービスに関連した呼出し情報を伝送する方法において、ＵＥから前記第２サービス受信要求を感知すると、ＳＧＳＮが前記第２サービスに関連した呼出し情報を伝送する伝送周期及びその伝送開始位置を知らせるためのオフセット情報を無線網制御器へ伝送するステップと、前記無線網制御器から前記ＵＥへ前記第２呼出し表示情報領域を含む呼出し表示チャンネル信号を伝送するステップと、前記無線網制御器から前記ＵＥへ前記呼出し表示チャンネル信号を伝送した後、前記オフセット情報に該当する伝送開始位置で前記第２サービス呼出し情報を所定の回数だけ反復して伝送するステップと、を備えることを特徴とする。
【００１２】
さらに、本発明によれば、第１サービスと、前記第１サービスとは異なる第２サービスを提供するために前記第１サービスに関連した呼出しがあることを示す第１呼出し表示情報を含む第１呼出し表示情報領域と前記第２サービスに関連した呼出しがあることを示す第２呼出し表示情報を含む第２呼出し表示情報領域とを有する呼出し表示チャンネル信号を受信する移動通信システムで前記第２サービスに関連した呼出し情報を受信する方法において、前記第２サービス呼出し情報を受信する受信周期及びその受信開始位置を知らせるオフセット情報を受信するステップと、所定の時点で前記呼出し表示チャンネル信号を受信し、前記呼出し表示チャンネル信号から前記第２呼出し表示情報を感知するステップと、前記第２呼出し表示情報が前記第２サービスの呼出し情報があることを示すと、前記受信周期及び前記オフセット情報に相応するように前記第２サービス呼出し情報を受信するステップと、を備えることを特徴とする。
【発明の効果】
【００１３】
本発明は、ＭＢＭＳサービスを提供する移動通信システムで、ＵＥは、ＵＥが有しているＤＲＸを利用して前記Ｎｏｔｉｆｉｃａｔｉｏｎメッセージを伝送する呼出しチャンネルの伝送を知らせる呼出し表示チャンネルを受信し、前記 呼出し表示チャンネルの未使用領域に割り当てられたＭＢＭＳサービス識別子が存在するか否かを確認して前記ＭＢＭＳサービスを提供する呼出し情報の受信を決定する。従って、ＵＴＲＡＮは、ＭＢＭＳサービスに対するＮｏｔｉｆｉｃａｔｉｏｎメッセージを伝送する呼出しチャンネル信号を持続的に伝送する必要がなく、前記ＵＥは、持続的にＮｏｔｉｆｉｃａｔｉｏｎメッセージを伝送する呼出しチャンネル信号を受信せず、該当ＭＢＭＳサービス識別子が存在する場合のみ前記呼出しチャンネルを確認するのでＵＥの電力消耗を最小化する。また、前記ＭＢＭＳサービスの提供のための呼出し情報を含む呼出しチャンネルの伝送周期及び伝送時点をＭＢＭＳサービス別に可変的に設定して伝送することにより、複数のＵＥが適切な時点で前記ＭＢＭＳサービスの呼出し情報を効率的に受信するようにする。終わりに、前記ＭＢＭＳサービスの呼出し情報を反復的に伝送することにより、前記複数のＵＥが受信された前記呼出し情報の信頼性を保証できる。
【発明を実施するための最良の形態】
【００１４】
以下、本発明の好適な一実施形態について添付図を参照しつつ詳細に説明する。下記説明において、本発明の要旨のみを明瞭するために公知の機能又は構成に対する詳細な説明は省略する。
【００１５】
本発明は、マルチメディア放送／マルチキャストサービス(Multimedia Broadcast/Multicast Service；以下、“ＭＢＭＳ”と略称する。)を提供する移動通信システムでネットワーク、すなわち、ＵＴＲＡＮ(ＵＭＴＳTerrestrial Radio Access Network)が使用者端末機(User Equipment；以下、“ＵＥ”と略称する。)の電力消耗を最小化する呼出し方法を提案する。そして、本発明で提案する呼出し方法は、前記ＵＥがＩＤＬＥ状態(state)、ＣＥＬＬ＿ＰＣＨ状態、及びＵＲＡ＿ＰＣＨ状態のうちいずれか１つの状態にあってもすべて適用可能である。そうすると、ここで、前記ＵＥの状態を説明すると次のようである。
【００１６】
(１)ＣＥＬＬ＿ＰＣＨ状態：ＣＥＬＬ＿ＰＣＨ状態のＵＥは、呼出し表示チャンネル(Paging Indicator Channel；以下、“ＰＩＣＨ”と略称する。)を監視し、順方向接続チャンネル(Forward Access Channel；以下、“ＦＡＣＨ”と略称する。)などのような他のチャンネルは受信しない。無線網制御器(Radio Network Controller；以下、“ＲＮＣ”と略称する。)はＵＥにデータを伝送する前に、ＵＥを呼び出してＣＥＬＬ＿ＦＡＣＨ状態に遷移させなければならなく、これと同様に、ＵＥは、ＲＮＣにデータを伝送する前にＣＥＬＬ＿ＦＡＣＨ状態に遷移すべきである。ＲＮＣは、ＵＥの位置をセル(cell)単位で追跡する。前記呼出し手順には、前記ＲＮＣで決定した不連続受信(Discontinuous Reception；以下、“ＤＲＸ”と略称する。)パラメータが利用される。
【００１７】
(２)ＵＲＡ＿ＰＣＨ状態：ＲＮＣがＵＥの位置をＵＲＡ(ＵＴＲＡＮ Registration Area : 複数のセルで構成された地域)単位で追跡する点を除外すると、前述したＣＥＬＬ＿ＰＣＨ状態と同一である。
【００１８】
(３)ＩＤＬＥ状態：ＲＮＣは、ＵＥの位置を認識できなく、ＣＮの要請によりＵＥを呼び出すことができる。前記呼出し手順は、コアネットワークで決定するＤＲＸパラメータが使用される点を除外すると、前述したＣＥＬＬ＿ＰＣＨ状態の呼出し手順と同一である。ＲＮＣ及びＵＥがデータを送受信するためには、無線資源制御(Radio Resource Control；以下、“ＲＲＣ”と略称する。)連結(connection)セットアップ(RRC CONNECTION SETUP)過程が先行されなければならない。
【００１９】
一方、一般的な呼出し過程を説明すると、次のようである。
まず、ＵＥは、周期的に基地局から伝送されるＰＩＣＨ信号を受信するようになり、前記受信されたＰＩＣＨ信号を通じて自分にページングチャンネル(Paging Channel；以下、“ＰＣＨ”と略称する。)信号が伝送されるか否かを判断する。前記ＰＩＣＨに対する情報は、放送チャンネル(Broadcast Channel；以下、“ＢＣＨ”と略称する。)のシステム情報ブロック(System Information Block；以下、“ＳＩＢ”と略称する。)を通じてＵＥに伝送される。前記ＵＥは、前記ＢＣＨを確認することにより前記ＰＩＣＨ情報を得ることができ、従って、前記ＰＩＣＨ信号を受信することができる。一方、前記呼出し過程は、ネットワークが任意のＵＥを呼び出すすべての過程を意味し、前記ネットワークがＵＥを呼び出すとき、ＵＥの電力消耗を最小化するために前記ＤＲＸ方式を使用する。前記ＤＲＸ方式は、ＵＥが呼出しメッセージ(paging message)を受信するために受信器をターンオン(turn on)する時点をネットワークと予め設定しておき、その設定した時点でのみ呼出しメッセージを受信する方式を意味する。そこで、前記ＵＥは、前記ＤＲＸ方式を使用することにより、ネットワークと予め設定した時点でのみ受信器をターンオンし、前記設定した時点以外の残りの時点では、受信器をターンオフ(turn off)することにより電力消耗を最小化する。さらに具体的に説明すると次のようである。ＵＥは、呼出し時点(Paging Occasion；以下、“ＰＯ”と略称する。)にＰＩＣＨ信号を受信し、前記受信されたＰＩＣＨ信号の該当呼出し表示が“１”に設定されている場合、ＰＣＨを通じて伝達される呼出しメッセージを受信する。
【００２０】
しかし、前記のように一般的な呼出し過程をＭＢＭＳに使用すると、ネットワークは、複数のＵＥに前記ＭＢＭＳサービスに対する制御情報が存在することを知らせなければならないので、同一の情報を一定の時間反復して伝送しなければならない問題が発生する。従って、ＭＢＭＳサービスに対する制御情報が存在することを知らせる方法に従来の一般的な呼出し過程方法を使用すると、基地局の伝送電力を浪費する結果が発生する。そこで、本発明は、前記ＰＣＨ信号が伝送される周期及びその伝送開始位置を知らせるためのオフセット情報を周期的に決定することではなく、状況に応じて適応的に決定する方案を提示する。すなわち、呼出し情報が伝送される間隔を示す情報である周期と、前記伝送開始点を示すオフセット情報をＭＢＭＳサービスに従って適応的に決定する方案を提示する。
【００２１】
前述したように、ＭＢＭＳサービスの場合複数のＵＥが前記ＭＢＭＳサービスを受信するためにＮｏｔｉｆｉｃａｔｉｏｎメッセージを受信するようになる。このとき、前記Ｎｏｔｉｆｉｃａｔｉｏｎメッセージは、ＭＢＭＳに対する呼出しメッセージの形態を有する。本発明の説明では、例えば、Ｎｏｔｉｆｉｃａｔｉｏｎメッセージが呼出しチャンネル(Paging Channel；ＰＣＨ)を通じて伝送されることを仮定する。Ｎｏｄｅ Ｂから複数のＵＥに前記Ｎｏｔｉｆｉｃａｔｉｏｎメッセージを持続的に伝送することは、Ｎｏｄｅ Ｂの伝送電力の浪費をもたらす。従って、前記Ｎｏｔｉｆｉｃａｔｉｏｎメッセージが伝送されるＰＣＨの受信開始時点である前記ＰＣＨのオフセットと前記ＰＣＨの反復伝送時点をＵＥに知らせて、前記ＵＥが前記情報に従ってＰＣＨを受信することができるようにする。また、前記ＵＥは、前記ＰＣＨを複数回反復して受信することができるので、前記ＰＣＨへ伝送されるＮｏｔｉｆｉｃａｔｉｏｎメッセージに対する信頼度を高めることができる。ここで、前記Ｎｏｔｉｆｉｃａｔｉｏｎメッセージを伝送するＰＣＨ信号を伝送する周期ＰＡＧＩＮＧ＿ＩＮＴＥＲＶＡＬ及び前記伝送開始位置を示すオフセット情報ＯＦＦＳＥＴを決定する方法には２つの方法が存在する。ここで、ＰＡＧＩＮＧ＿ＩＮＴＥＲＶＡＬ及びＯＦＦＳＥＴをＭＢＭＳ呼出し制御情報と称する。
【００２２】
そうすると、一番目に、ＳＧＳＮでＰＣＨ信号が伝送される周期ＰＡＧＩＮＧ＿ＩＮＴＥＲＶＡＬとその伝送開始位置を知らせるためのオフセット情報ＯＦＦＳＥＴを決定する方法を説明する。
【００２３】
前記ＳＧＳＮは、前記ＰＡＧＩＮＧ＿ＩＮＴＥＲＶＡＬ及びＯＦＦＳＥＴをＭＢＭＳサービス別にまたはルーティング地域(Routing Area；以下、“ＲＡ”と略称する。)単位で決定する。前記ＳＧＳＮは、前記ＭＢＭＳサービス別にＰＣＨを伝送する伝送周期“ＰＡＧＩＮＧ＿ＩＮＴＥＲＶＡＬ”と伝送開始位置を知らせるためのオフセット情報“ＯＦＦＳＥＴ”を臨時マルチキャストグループ識別子(Temporary Multicast Group Identity；以下、“ＴＭＧＩ”と略称する。)の関数で定義するか、ＭＢＭＳサービス別に予め設定しておく特定の値で設定可能である。ここで、前記ＴＭＧＩは、ＭＢＭＳサービスを識別する一種の識別子として、前記ＭＢＭＳサービス別に固有のＴＭＧＩが割り当てられる。すなわち、前記ＴＭＧＩは、任意のＭＢＭＳサービスに対するＭＢＭＳサービスコンテキスト(MBMS SERVICE CONTEXT)が最初に生成されるとき割り当てられ、該当ＭＢＭＳサービスが終了されるとき解除される。そして、前記ＴＭＧＩの割当てに対する特別な規則はないが、本発明の説明では、前記ＳＧＳＮは、１つのＭＢＭＳサービスに対して１つのＳＧＳＮの内で唯一な値が割り当てられることを仮定する。
【００２４】
一方、前記ＳＧＳＮは、前記決定されたＰＡＧＩＮＧ＿ＩＮＴＥＲＶＡＬとＯＦＦＳＥＴを下記で説明するＭＢＭＳサービス活性化応答(MBMS service activation response)メッセージを通じてＵＥに伝送する。前記ＭＢＭＳサービス活性化応答メッセージは図２で説明されるので、ここでは、その詳細な説明を省略するものとする。
【００２５】
そうすると、前記ＳＧＳＮは、下記式(4)を通じて前記ＰＣＨを伝送するＰＡＧＩＮＧ＿ＩＮＴＥＲＶＡＬとＯＦＦＳＥＴを利用してＰＯを決定するようになる。
【００２６】
【数１】
2004159334.tif 000003
【００２７】
前記式(4)において、ｎ＝１，２，３，...であり、ＳＦＮ(ＰＯ)＜４０９５であり、ＴＭＧＩ＿Ｋ＝ＴＭＧＩ ｄｉｖ Ｋ、ＰＡＧＩＮＧ＿ＩＮＴＥＲＶＡＬ＝２ＰＡＧＩＮＧ＿ＩＮＴＥＲＶＡＬ_ＣＯＥＦＦである。ここで、前記システムフレーム番号(System Frame Number；以下、“ＳＦＮ”と略称する。)は、０〜４０９５で反復的に増加する整数として、Ｎｏｄｅ Ｂでカウントしているフレームタイミング(frame timing)情報である。そして、前記ＭＢＭＳ移動通信システムで１つの無線フレーム(radio frame)は、１０ｍｓｅｃの長さを有する。また、前記ＴＭＧＩ＿Ｋを計算するとき使用する変数Ｋは、該当セルにセットアップ(setup)されている第２共通制御物理チャンネル(Secondary Common Control Physical Channel；以下、“Ｓ−ＣＣＰＣＨ”と略称する。)／ＰＣＨの個数を示す。ここで、前記Ｓ−ＣＣＰＣＨ／ＰＣＨは、ＰＣＨがマッピングされる物理チャンネル(physical channel)であるＳ−ＣＣＰＣＨを示す。
【００２８】
前記式(4)から分かるように、前記ＭＢＭＳ ＰＯは、ＭＢＭＳサービスに従うＮｏｔｉｆｉｃａｔｉｏｎメッセージを伝送するＰＣＨを受信するＳＦＮの集合である。そして、前記式(4)で、ＰＡＧＩＮＧ＿ＩＮＴＥＲＶＡＬ_ＣＯＥＦＦは、０〜９までの値のうち１つの値を有する変数として、前記ＰＡＧＩＮＧ＿ＩＮＴＥＲＶＡＬ_ＣＯＥＦＦの値により前記伝送周期ＰＡＧＩＮＧ＿ＩＮＴＥＲＶＡＬが決定される。そして、前記式(4)において、ＴＭＧＩ＿Ｋ ｍｏｄ ＰＡＧＩＮＧ＿ＩＮＴＥＲＶＡＬは、ＴＭＧＩ別に、すなわち、ＭＢＭＳサービス別にＰＣＨの伝送開始位置を知らせるためのオフセット情報ＯＦＦＳＥＴを相異であるように設定するためのである。従って、前記ＯＦＦＳＥＴは、前記数式１のようにＴＭＧＩの関数で決定されることもでき、特定の値で決定されることもできる。もしも、前記オフセット情報ＯＦＦＳＥＴが前記ＴＭＧＩの関数ではない特定の値で決定される場合には、前記特定の値を前記伝送周期ＰＡＧＩＮＧ＿ＩＮＴＥＲＶＡＬとともにＵＥへ通報しなければならない。
【００２９】
二番目の方法に、ＲＮＣがＰＡＧＩＮＧ＿ＩＮＴＥＲＶＡＬ及びＯＦＦＳＥＴを決定する方法を説明する。
前記ＲＮＣは、ＵＴＲＡＮの負荷(load)及びチャンネル状況によりＰＡＧＩＮＧ＿ＩＮＴＥＲＶＡＬとＯＦＦＳＥＴを決定する。このとき、前記ＲＮＣは、ＰＡＧＩＮＧ＿ＩＮＴＥＲＶＡＬとＯＦＦＳＥＴをセル単位で決定し、前記セル単位で決定されたＰＡＧＩＮＧ＿ＩＮＴＥＲＶＡＬとＯＦＦＳＥＴは、放送チャンネル(Broadcast Channel；ＢＣＨ)またはＦＡＣＨを通じてＵＥに伝達される。そして、前記ＲＮＣは、前記ＰＡＧＩＮＧ＿ＩＮＴＥＲＶＡＬとＯＦＦＳＥＴを前記ＳＧＳＮが決定する方式と同様に、前記数式１を使用して同一の方法で決定することができる。
【００３０】
図２は、本発明の一実施例によるＳＧＳＮがＮｏｔｉｆｉｃａｔｉｏｎメッセージを伝送するＰＣＨのＰＡＧＩＮＧ＿ＩＮＴＥＲＶＡＬとＯＦＦＳＥＴを決定する場合の信号のフローチャートである。本発明で説明するネットワーク構造、すなわち、ＢＭ−ＳＣ、ゲートウェイパケット無線サービス支援ノード(Gateway GPRS Support Node；以下、“ＧＧＳＮ”と略称する。)、ＳＧＳＮと、ＲＮＣ、及びＵＥの連結構造は、図１で説明したような構造を有すると仮定する。
【００３１】
図２を参照すると、まず、ＣＮ(ＢＭ−ＳＣ、ＧＧＳＮ、及びＳＧＳＮを含む概念として定義される。)は、ステップ２０１で、現在提供可能なＭＢＭＳサービスに対する基本的な情報、例えば、メニュー情報(MENU INFORMATION)を前記ＭＢＭＳサービス加入者であるＵＥに案内するためにサービス案内(SERVICE ANNOUNCEMENT)過程を遂行する。ここで、前記メニュー情報とは、特定のＭＢＭＳサービスが開始される時刻情報と持続時間などを示す情報を意味する。例えば、特定のＴＶプログラムが開始される放送開始時間及び総放送時間を意味する。前記コアネットワークは、前記メニュー情報を所定のサービス領域(service area)に放送するか、すなわち、ＣＢＳなどの放送サービスを通じて放送するか、またはＭＢＭＳサービス要請があるＵＥにのみ伝送することができる。そして、前記ＣＮは、前記メニュー情報を通じて前記ＣＮが各ＭＢＭＳのサービスを区分するためのＭＢＭＳサービス識別子(MBMS SERVICE ID)を知らせるようになる。前記サービス案内過程は、本発明と直接的な関連がないので、ここでは、その詳細な説明を省略する。
【００３２】
このように前記サービス案内過程を通じて提供される前記ＭＢＭＳサービスに対する基本的な情報を獲得したＵＥは、ステップ２０２で、前記ＭＢＭＳサービスのうち受信しようとする特定のＭＢＭＳサービスに対するＭＢＭＳサービス活性化要求メッセージをＲＮＣを通じてＳＧＳＮへ伝送する。これを第１ＭＢＭＳサービス活性化要求(MBMS SERVICE ACTIVATION REQUEST 1)メッセージと称する。ここで、前記MBMS SERVICE ACTIVATION REQUEST 1メッセージには、ＵＥ識別子(ＵＥ ＩＤ)、ＭＢＭＳサービス識別子(MBMS SERVICE ID)などが含まれる。ここで、前記ＭＢＭＳサービス識別子は、前記ＵＥが受信することを所望するＭＢＭＳサービスを示す識別子である。前記ＵＥからMBMS SERVICE ACTIVATION REQUEST 1メッセージを受信したＳＧＳＮは、前記MBMS SERVICE ACTIVATION REQUEST 1メッセージからＭＢＭＳサービス識別子を検出し、前記ＭＢＭＳサービス識別子に該当するＭＢＭＳサービスコンテキストに前記ＵＥのＵＥ識別子を貯蔵する。その後、前記ＳＧＳＮは、ステップ２０２−１で、第２ＭＢＭＳサービス活性化要求(MBMS SERVICE ACTIVATION REQUEST 2)メッセージ(以下、“MBMS SERVICE ACTIVATION REQUEST 2メッセージ”と称する。)をＧＧＳＮへ伝送する。前記ＳＧＳＮから前記MBMS SERVICE ACTIVATION REQUEST 2メッセージを受信したＧＧＳＮは、ステップ２０２−２で、前記MBMS SERVICE ACTIVATION REQUEST 2メッセージを伝送したＵＥとＲＮＣの識別子を該当ＭＢＭＳサービスのＭＢＭＳサービスコンテキストに貯蔵し、第３ＭＢＭＳサービス活性化要求(MBMS SERVICE ACTIVATION REQUEST 3)メッセージ(以下、“MBMS SERVICE ACTIVATION REQUEST 3メッセージ”と称する。)をＢＭ−ＳＣへ伝送する。
【００３３】
前記ＧＧＳＮからMBMS SERVICE ACTIVATION REQUEST 3メッセージを受信したＢＭ−ＳＣは、前記MBMS SERVICE ACTIVATION REQUEST 3メッセージを伝送したＧＧＳＮの識別子を該当ＭＢＭＳサービスに対するＭＢＭＳサービスコンテキストに貯蔵した後、前記該当ＭＢＭＳサービスに対してＴＭＧＩを割り当てる。その後、前記ＢＭ−ＳＣは、ステップ２０３で、前記ＧＧＳＮに第３ＭＢＭＳサービス応答(MBMS SERVICE ACTIVATION RESPONSE 3)メッセージ(以下、“MBMS SERVICE ACTIVATION RESPONSE 3メッセージ”と称する。)を伝送する。ここで、前記MBMS SERVICE ACTIVATION RESPONSE 3メッセージには、前記ＭＢＭＳサービスを示すＭＢＭＳサービス識別子及び前記ＴＭＧＩが含まれる。前記ＢＭ−ＳＣから前記MBMS SERVICE ACTIVATION RESPONSE 3メッセージを受信したＧＧＳＮは、ステップ２０３−１で、前記ＳＧＳＮに第２ＭＢＭＳサービス応答(MBMS SERVICE ACTIVATION RESPONSE 2)メッセージ(以下、“MBMS SERVICE ACTIVATION RESPONSE 2メッセージ”と称する。)を伝送する。ここで、前記MBMS SERVICE ACTIVATION RESPONSE 2メッセージも前記ＭＢＭＳサービス識別子と前記ＴＭＧＩを含む。前記ＳＧＳＮは、前記ＧＧＳＮから前記MBMS SERVICE ACTIVATION RESPONSE 2メッセージを受信すると、前記式(4)のように前記ＴＭＧＩを利用してＰＣＨ伝送周期ＰＡＧＩＮＧ＿ＩＮＴＥＲＶＡＬとオフセット情報ＯＦＦＳＥＴを決定する。従って、前記ＳＧＳＮは、ステップ２０３−２で、前記決定したＰＣＨ伝送周期ＰＡＧＩＮＧ＿ＩＮＴＥＲＶＡＬ、オフセット情報ＯＦＦＳＥＴ、前記ＭＢＭＳサービス識別子、及び前記ＴＭＧＩを含んで、前記ＲＮＣを通じて前記ＵＥへ第３ＭＢＭＳサービス応答(MBMS SERVICE ACTIVATION RESPONSE 3)メッセージ(以下、“MBMS SERVICE ACTIVATION RESPONSE 3メッセージ”と称する。)を伝送する。前記ＵＥは、前記ＳＧＳＮからMBMS SERVICE ACTIVATION RESPONSE 3メッセージを受信すると、前記MBMS SERVICE ACTIVATION RESPONSE 3メッセージに含まれている前記決定されたＰＣＨ伝送周期ＰＡＧＩＮＧ＿ＩＮＴＥＲＶＡＬ、オフセット情報ＯＦＦＳＥＴ、前記ＭＢＭＳサービス識別子、及び前記ＴＭＧＩを認識する。従って、前記ＵＥは、前記ＰＣＨが伝送されることを知らせるＰＩＣＨ信号をモニタリングした後、前記ＰＩＣＨに自分の要請したＭＢＭＳサービスが開始される情報が存在すると、前記決定されたＰＡＧＩＮＧ＿ＩＮＴＥＲＶＡＬとＯＦＦＳＥＴに従ってＰＣＨを受信するようになる。
【００３４】
すなわち、前記ＵＥは、スリップモードを支援するためのＤＲＸパラメータが予め設定される。従って、ステップ２０４で、前記ＵＥは、前記ＤＲＸパラメータに相応してスリップモードで予め設定された時点、すなわち、前記ＵＥに該当するＰＯごとＰＩＣＨ信号を受信し、前記受信されたＰＩＣＨ信号の未使用領域(unused part)を確認してＵＥが要請したＭＢＭＳサービスが開始されるか否かに対する情報を確認する。ここで、一般的なＰＩＣＨスロットフォーマット(slot format)で前記ＰＩＣＨの１つの無線フレームは１０ｍｓの長さを有し、３００個の領域(ｂ０乃至ｂ２９９)で構成される。すなわち、前記１つの無線フレームは、２８８ビット(288bits)のＰＩが記録される領域(ｂ０乃至ｂ２８７)と、現在は使用されていないが、１２ビットで構成されて新たな用度で使用するための一種の予約(reserved)領域(ｂ２８８乃至ｂ２９９)である未使用領域を含む。本発明では、前記未使用領域をＭＢＭＳ呼出しが存在することを知らせる呼出し表示識別子(Paging Indicator；以下、ＰＩと略称する。)を伝送するための領域として使用する。
【００３５】
言い換えれば、本発明は、ＰＣＨの伝送を知らせるＰＩＣＨのうち前記１２ビットの未使用領域を幾つのグループに分け、それぞれのグループにＭＢＭＳ ＰＩを割り当てることにより、前記ＵＥが要請したＭＢＭＳサービスに符合されるＰＣＨが存在するか否かを知らせることである。この場合、前記ＵＥは、前記ＭＢＭＳサービスのＭＢＭＳ ＰＩが前記グループのうちどんなグループに位置したかを認識しなければならない。
【００３６】
従って、本発明は、下記数式２のようにＭＢＭＳサービスに関連した情報であるＴＭＧＩとＭＢＭＳサービス呼出し情報が存在するか否かを示すＭＢＭＳ ＰＩの識別子との対応関係を定義して前記未使用領域を使用しようとする。すなわち、下記式(5)は、前記ＭＢＭＳ ＰＩとＴＭＧＩとの間のマッピング関係を示す。
【００３７】
【数２】
2004159334.tif 000004
【００３８】
前記式(5)において、Ｎｍｐは、前記１２ビットの未使用領域をグループに割った商で、各グループには１２／Ｎｍｐビットが割り当てられる。ここで、前記Ｎｍｐは、ＭＢＭＳ ＰＩの数であり、１，２，３，４，または１２のグループが存在する。例えば、前記Ｎｍｐが１であれば、前記１２ビットは、１つのＭＢＭＳサービスに対応するＭＢＭＳ ＰＩに割り当てられる。前記ＵＥは、自分の要請したＭＢＭＳサービスに対応するＭＢＭＳ ＰＩを確認する前に現在のＮｍｐの値を認知しなければならなく、これは、ＵＴＲＡＮのシステム情報を伝送するＢＣＨまたはＦＡＣＨを通じて受信することができる。
【００３９】
ＵＥは、前記数式２によって決定されたＭＢＭＳ ＰＩの値を利用して自分の要請したＭＢＭＳサービスに対応するＰＣＨが存在するか否かを決定するためにＰＩＣＨ信号をモニタリングする。ここで、前記ＭＢＭＳ ＰＩが存在することを前記ＵＥへ伝送する方法は、図４を通じて説明する。一方、前記ＵＥは、前記受信されたＰＩＣＨ信号のＭＢＭＳ ＰＩ情報を通じて、自分が受信することを所望するＭＢＭＳサービスが開始されることを確認し、前記ＰＣＨ伝送周期ＰＡＧＩＮＧ＿ＩＮＴＥＲＶＡＬとオフセット情報ＯＦＦＳＥＴを利用して該当ＭＢＭＳサービスに対するNotification情報が伝送されるＰＣＨ信号を受信するようになる。
【００４０】
一方、前記ＢＭ−ＳＣは、ステップ２０５で、ＳＧＳＮに前記ＭＢＭＳサービスがすぐ開始されることを示す一種の呼出し(paging)メッセージである第１ＭＢＭＳサービス通知(MBMS SERVICE NOTIFY 1)メッセージ(以下、“MBMS SERVICE NOTIFY 1メッセージ”と称する。)を伝送する。ここで、前記MBMS SERVICE NOTIFY 1メッセージには、前記すぐ開始されるＭＢＭＳサービスのＭＢＭＳサービス識別子が含まれる。ステップ２０５−１で、前記ＢＭ−ＳＣからMBMS SERVICE NOTIFY 1メッセージを受信したＳＧＳＮは、前記ＲＮＣに前記ＭＢＭＳサービスがすぐ開始されることを示す第２ＭＢＭＳサービス通知(MBMS SERVICE NOTIFY 2)メッセージ(以下、“MBMS SERVICE NOTIFY 2メッセージ”と称する。)を伝送する。ここで、前記MBMS SERVICE NOTIFY 2メッセージには、前記すぐ開始されるＭＢＭＳサービスのＴＭＧＩが含まれる。前記ＳＧＳＮからMBMS SERVICE NOTIFY 2メッセージを受信したＲＮＣは、ステップ２０５−２で、前記ＵＥへ前記ＭＢＭＳサービスがすぐ開始されることを示す第３ＭＢＭＳサービス通知(MBMS SERVICE NOTIFY 3)メッセージ(以下、“MBMS SERVICE NOTIFY 3メッセージ”と称する。)を伝送する。ここで、前記MBMS SERVICE NOTIFY 3メッセージには、前記すぐ開始されるＭＢＭＳサービスのＴＭＧＩが含まれる。ここで、前記ＲＮＣは、前記MBMS SERVICE NOTIFY 3メッセージをＰＣＨを通じて伝送する。
【００４１】
前記サービス通知過程を通じて要請したＭＢＭＳサービスがすぐ開始されることを感知したＵＥは、ステップ２０６で、前記ＣＮに前記MBMS SERVICE NOTIFY 3メッセージに応答して呼出し応答(PAGING RESPONSE)メッセージを伝送した後に無線資源の割当て(radio resource allocation)過程を通じて前記ＭＢＭＳサービスを受信するための無線資源が割り当てられる。ここで、前記無線資源の割当て過程は、前記ＲＮＣが任意のセルに位置したＵＥに該当セルで前記ＭＢＭＳサービスが伝送される無線ベアラー(radio bearer)情報を知らせるステップ(以下、“無線ベアラーセットアップ(radio bearer setup)”ステップ)と、前記ＲＮＣがＭＢＭＳサービスを受信するＵＥが位置しているセルへＩｕｂインターフェース上に構成されるトランスポートベアラー (transport bearer)情報を知らせるステップ(以下、“無線リンクセットアップ(radio link setup)”ステップ)とに区分される。
【００４２】
前記無線資源の割当て過程が完了されると、特定のＭＢＭＳサービスを受信しようとするすべてのＵＥは、前記特定のＭＢＭＳサービスが提供される無線リンク関連情報と前記サービスが処理される上位階層情報を認知するようになり、前記ＵＥが属しているセルは、前記無線リンクとＩｕｂインターフェースの設定を完了する。このように、前記ＲＮＣとＵＥとの間にＭＢＭＳサービス提供のための準備が完了された状態で、前記ＣＮは、ステップ２０７で、前記ＲＮＣを通じて前記ＵＥへＭＢＭＳサービスデータを伝送する実際ＭＢＭＳサービス過程、すなわち、ＭＢＭＳデータの伝送過程を遂行する。この後、ステップ２０８で、前記ＭＢＭＳサービスデータの伝送が完了されると、前記ＵＥとＣＮとの間には、前記設定されている無線資源、すなわち、トランスポートベアラー及び無線ベアラーを解除する無線資源解除過程(END OF MBMS SERVICE)を遂行する。
【００４３】
図３は、本発明の他の実施例によるＲＮＣがＮｏｔｉｆｉｃａｔｉｏｎメッセージを伝送するＰＣＨ伝送周期ＰＡＧＩＮＧ＿ＩＮＴＥＲＶＡＬとオフセット情報ＯＦＦＳＥＴを決定する場合の制御メッセージの送受信過程を示す信号のフローチャートである。
図３を参照すると、まず、ＣＮは、ステップ３０１で、現在提供可能なＭＢＭＳサービスに対する基本的な情報、例えば、メニュー情報を前記ＭＢＭＳサービス加入者であるＵＥに案内するためにサービス案内過程を遂行する。前記サービス案内過程は、図２で説明したサービス案内過程と同一であるので、その詳細な説明を省略するものとする。このように前記サービス案内過程を通じて提供されるＭＢＭＳサービスに対する基本的な情報を獲得したＵＥは、ステップ３０２で、前記ＭＢＭＳサービスのうち受信しようとする特定のＭＢＭＳサービスに対するMBMS SERVICE ACTIVATION REQUEST 1メッセージをＲＮＣを通じてＳＧＳＮへ伝送する。ここで、前記MBMS SERVICE ACTIVATION REQUEST 1メッセージには、ＵＥ識別子(ＵＥ ＩＤ)とＭＢＭＳサービス識別子(MBMS SERVICE ID)などが含まれる。前記ＵＥからMBMS SERVICE ACTIVATION REQUEST 1メッセージを受信したＳＧＳＮは、前記MBMS SERVICE ACTIVATION REQUEST 1メッセージからＭＢＭＳサービス識別子を検出し、前記ＭＢＭＳサービス識別子に該当するＭＢＭＳサービスコンテキストに前記ＵＥのＵＥ識別子を貯蔵する。その後、前記ＳＧＳＮは、ステップ３０２−１でMBMS SERVICE ACTIVATION REQUEST 2メッセージをＧＧＳＮへ伝送する。前記ＳＧＳＮから前記MBMS SERVICE ACTIVATION REQUEST 2メッセージを受信したＧＧＳＮは、ステップ３０２−２で、前記MBMS SERVICE ACTIVATION REQUEST 2メッセージを伝送したＵＥとＲＮＣの識別子を該当ＭＢＭＳサービスのＭＢＭＳサービスコンテキストに貯蔵し、MBMS SERVICE ACTIVATION REQUEST 3メッセージをＢＭ−ＳＣへ伝送する。
【００４４】
前記ＧＧＳＮからMBMS SERVICE ACTIVATION REQUEST 3メッセージを受信したＢＭ−ＳＣは、前記MBMS SERVICE ACTIVATION REQUEST 3メッセージを伝送したＧＧＳＮの識別子を該当ＭＢＭＳサービスに対するＭＢＭＳサービスコンテキストに貯蔵した後、前記該当ＭＢＭＳサービスに対してＴＭＧＩを割り当てる。その後、前記ＢＭ−ＳＣは、ステップ３０３で前記ＧＧＳＮにMBMS SERVICE ACTIVATION RESPONSE 3メッセージを伝送する。ここで、前記MBMS SERVICE ACTIVATION RESPONSE 3メッセージには、前記ＭＢＭＳサービスを示すＭＢＭＳサービス識別子と前記ＴＭＧＩが含まれる。前記ＢＭ−ＳＣから前記MBMS SERVICE ACTIVATION RESPONSE 3メッセージを受信したＧＧＳＮは、ステップ３０３−１で前記ＳＧＳＮにMBMS SERVICE ACTIVATION RESPONSE 2メッセージを伝送する。ここで、前記MBMS SERVICE ACTIVATION RESPONSE 2メッセージも前記ＭＢＭＳサービス識別子と前記ＴＭＧＩを含む。前記ＳＧＳＮは、ステップ３０３−２で、前記ＲＮＣを通じて前記ＵＥへMBMS SERVICE ACTIVATION RESPONSE 3メッセージを伝送する。前記ＵＥは、前記ＳＧＳＮからMBMS SERVICE ACTIVATION RESPONSE 3メッセージを受信すると、前記MBMS SERVICE ACTIVATION RESPONSE 3メッセージに含まれているＭＢＭＳサービス識別子と前記ＴＭＧＩを認識する。
【００４５】
この後、前記ＵＥは、ＤＲＸパラメータに相応するように設定された時点、すなわち、該当ＰＩＣＨ受信のためのＰＯごとＰＩＣＨ信号を受信し、前記ＰＩＣＨで前記ＵＥに対する一般的な呼出し(General Paging)があるか否かを確認する。同時に、ステップ３０４で、前記受信したＰＩＣＨ信号の未使用領域(unused part)に割り当てられているＭＢＭＳサービスのＰＩを確認してＵＥの自分が受信することを所望するＭＢＭＳサービスが開始されるか否かに対する情報を確認する。
【００４６】
前記受信したＰＩＣＨ信号の未使用領域に含まれたＭＢＭＳサービスＰＩを確認してＵＥの自分が受信することを願うＭＢＭＳサービスが開始されることを確認すると、前記ＵＥは、Ｎｏｔｉｆｉｃａｔｉｏｎメッセージを伝送するＰＣＨ伝送周期ＰＡＧＩＮＧ＿ＩＮＴＥＲＶＡＬとオフセット情報ＯＦＦＳＥＴを利用して前記ＰＣＨ信号を受信するようになる。
【００４７】
ここで、前記ＲＮＣは、前記Ｎｏｔｉｆｉｃａｔｉｏｎメッセージを伝送するＰＣＨ伝送周期ＰＡＧＩＮＧ＿ＩＮＴＥＲＶＡＬとオフセット情報ＯＦＦＳＥＴをＵＴＲＡＮの負荷とチャンネル状況に従ってセル単位で決定し、前記セル単位で決定された伝送周期ＰＡＧＩＮＧ＿ＩＮＴＥＲＶＡＬとオフセット情報ＯＦＦＳＥＴは、ネットワークのシステム情報を伝送する放送チャンネルまたはＦＡＣＨを通じてＵＥに伝達される。従って、前記ＵＥは、前記Ｎｏｔｉｆｉｃａｔｉｏｎメッセージを伝送するＰＣＨ伝送周期ＰＡＧＩＮＧ＿ＩＮＴＥＲＶＡＬとオフセット情報ＯＦＦＳＥＴを認識することができる。一方、前記ＲＮＣは、前記ＰＣＨ伝送周期ＰＡＧＩＮＧ＿ＩＮＴＥＲＶＡＬとオフセット情報ＯＦＦＳＥＴを変更する場合も前記ＵＥに変更されたＰＣＨ伝送周期ＰＡＧＩＮＧ＿ＩＮＴＥＲＶＡＬとオフセット情報ＯＦＦＳＥＴを放送チャンネルまたはＦＡＣＨを通じて伝送する。従って、前記ＵＥが前記変更されたＰＣＨ伝送周期ＰＡＧＩＮＧ＿ＩＮＴＥＲＶＡＬとオフセット情報ＯＦＦＳＥＴを認識するようにする。
【００４８】
前記ＢＭ−ＳＣは、ステップ３０５でＳＧＳＮにMBMS SERVICE NOTIFY 1メッセージを伝送する。ここで、前記MBMS SERVICE NOTIFY 1メッセージには、前記すぐ開始されるＭＢＭＳサービスのＭＢＭＳサービス識別子が含まれる。前記ＢＭ−ＳＣからMBMS SERVICE NOTIFY 1メッセージを受信したＳＧＳＮは、ステップ３０５−１で前記ＲＮＣに前記ＭＢＭＳサービスがすぐ開始されることを示すMBMS SERVICE NOTIFY 2メッセージを伝送する。ここで、前記MBMS SERVICE NOTIFY 2メッセージには、前記すぐ開始されるＭＢＭＳサービスのＴＭＧＩが含まれる。前記ＳＧＳＮからMBMS SERVICE NOTIFY 2メッセージを受信したＲＮＣは、ステップ３０５−２で、Ｎｏｄｅ Ｂに前記ＭＢＭＳサービスがすぐ開始されることを示すMBMS SERVICE NOTIFY 3メッセージを伝送し、ステップ３０５−３で、前記Ｎｏｄｅ Ｂは、前記ＵＥへＭＢＭＳ SERVICE NOTIFY 4メッセージを伝送する。すなわち、前記ＵＥの電源節約のために予め設定されている該当ＰＯごとＰＩＣＨ信号を受信したＵＥは、前記ＰＩＣＨのすでに使用されている領域に存在しているＭＢＭＳを除外した他のサービスに対するＰＩを確認すると同時に、前記ＰＩＣＨの未使用領域(unused part)に割り当てられているＭＢＭＳサービスのＰＩを確認してＵＥ自分の要請したＭＢＭＳサービスが開始されるか否かを確認した後、前記Ｎｏｔｉｆｉｃａｔｉｏｎメッセージを伝送するＰＣＨ伝送周期ＰＡＧＩＮＧ＿ＩＮＴＥＲＶＡＬとオフセット情報ＯＦＦＳＥＴを利用して該当ＰＣＨ信号を受信するようになる。そして、その後のステップ３０６乃至ステップ３０８の過程は、図２で説明したステップ２０６乃至ステップ２０８の過程と同一に動作するので、ここでは、その詳細な説明を省略するものとする。
【００４９】
一方、前記ＲＮＣは、前記Ｎｏｔｉｆｉｃａｔｉｏｎメッセージを伝送するＰＣＨ伝送周期ＰＡＧＩＮＧ＿ＩＮＴＥＲＶＡＬとオフセット情報ＯＦＦＳＥＴをフレームプロトコル(frame protocol)を通じてＮｏｄｅ Ｂへ知らせ、前記Ｎｏｄｅ Ｂは、前記伝送周期ＰＡＧＩＮＧ＿ＩＮＴＥＲＶＡＬとオフセット情報ＯＦＦＳＥＴに相応するようにＰＣＨ信号をＵＥに伝送する。これに関連して、図４では、前記ＭＢＭＳ ＰＩを伝送するためのＰＩＣＨの伝送を支援するために、前記ＲＮＣとＮｏｄｅ Ｂとの間のＩｕｂフレームプロトコルに対するデータフレーム(data frame)が新たに定義される。
【００５０】
図４は、前述したように、ＭＢＭＳサービスに対するＰＩをＩｕｂフレームプロトコルを通じて伝送する方法を提案する。図４は、本発明の実施例によるＩｕｂフレームプロトコルのデータフレーム構造を概略的に示す。図４を参照すると、まず、前記Ｉｕｂフレームプロトコルのデータフレーム構造は、未使用領域を利用してＭＢＭＳ呼出し情報の伝送を支援するためには、一般的なＩｕｂフレームプロトコルのデータフレーム構造ではない新たな構造に変更されなければならない。
【００５１】
すなわち、前記ＲＮＣは、一般的なＰＣＨのＰＩを前記Ｉｕｂフレームプロトコルのデータフレームを通じてＮｏｄｅ Ｂに伝送するが、本発明では、前記未使用領域を利用して前記ＭＢＭＳサービスと関連したＰＩを前記Ｎｏｄｅ Ｂへ伝送する。従って、図４は、ＭＢＭＳ ＰＩビットマップ(bit map)が追加された新たなＩｕｂフレームプロトコルのデータフレーム構造を示している。また、前記ＭＢＭＳ ＰＩビットマップの情報が存在するか否かを示すＭＢＭＳ表示(MBMS Indication；ＭＩ)を追加する新たなＩｕｂフレームプロトコルのデータフレーム構造を示す。さらに説明すると、前記Ｉｕｂフレームプロトコルのデータフレーム構造でＭＩは、前記ＭＢＭＳ ＰＩビットマップのペイロッド(payload)が存在するか否かを示すもので、前記ＭＩが“０”で設定されているときは前記ＭＢＭＳ ＰＩビットマップが存在しない場合であり、前記ＭＩが“１”で設定されているときは前記ＭＢＭＳ ＰＩビットマップが存在する場合である。また、前記ＭＩが“１”であれば、前記ＭＢＭＳ ＰＩビットマップにＭＢＭＳサービスに対応するＰＣＨを知らせるためのＰＩＣＨを割り当てる。従って、１、２、３、４、６、または１２個のＭＢＭＳ ＰＩのグループが存在することができる。前記ＭＢＭＳ ＰＩビットマップフィールドは２バイト(byte)で設定され、前記ＭＢＭＳ ＰＩに関連して呼び出されるＵＥの数を示すこともできる。そして、前記Ｉｕｂフレームプロトコルのデータフレーム構造で、ＰＩＣＨ区間(ＰＩＣＨ ＤＵＲＡＴＩＯＮ)は、前記ＰＩＣＨをどのくらいの区間の間伝送するかをＮｏｄｅ Ｂに知らせる。
【００５２】
また、前記Ｉｕｂフレームプロトコルを通じてＰＣＨ及びＰＩＣＨの伝送に必要な情報をＮｏｄｅ Ｂに２つの方法にて伝送することができる。
一番目の方法は、前記ＲＮＣが、ＰＩＣＨ伝送と前記ＰＣＨ伝送に関連した伝送周期ＰＡＧＩＮＧ＿ＩＮＴＥＲＶＡＬとオフセット情報ＯＦＦＳＥＴをフレームプロトコルを利用してＮｏｄｅ Ｂに伝達する方法である。ここで、前記ＲＮＣは、前記ＰＩＣＨまたはＭＢＭＳ呼出しのためのＰＣＨを伝送すべき時点になると、その度に前記Ｉｕｂフレームプロトコルのデータフレームを通じて前記ＰＩＣＨの伝送に関連したＭＢＭＳ ＰＩ情報と前記ＰＣＨの伝送に関連した伝送周期ＰＡＧＩＮＧ＿ＩＮＴＥＲＶＡＬ及びオフセット情報ＯＦＦＳＥＴをＮｏｄｅ Ｂへ伝送する。そうすると、前記Ｎｏｄｅ Ｂは、前記ＲＮＣから受信したＭＢＭＳ ＰＩ情報及び伝送周期ＰＡＧＩＮＧ＿ＩＮＴＥＲＶＡＬとオフセット情報ＯＦＦＳＥＴに相応するようにＰＩＣＨ及びＰＣＨを実際物理チャンネル、すなわち、ＰＩＣＨ及びＳ−ＣＣＰＣＨにマッピングして伝送する。この場合、図４に示しているＩｕｂフレームプロトコルのデータフレーム構造で、ＰＩＣＨ ＤＵＲＡＴＩＯＮ情報を伝送する必要がなく、ただ、ＰＣＨを伝送する周期のみを調節するからＰＩＣＨのみ伝送される場合が発生する。
【００５３】
二番目の方法は、ＲＮＣがＰＩＣＨ伝送及び前記ＰＣＨ伝送に関連した伝送周期ＰＡＧＩＮＧ＿ＩＮＴＥＲＶＡＬとオフセット情報ＯＦＦＳＥＴをフレームプロトコルを利用してＮｏｄｅ Ｂへ伝達するとき、前記ＭＢＭＳ呼出し関連情報を示すＰＩＣＨを現在伝送の以後に設定回数だけ反復せよとのメッセージをともに伝送する方法である。そうすると、前記Ｎｏｄｅ Ｂは、前記ＲＮＣから受信した伝送周期ＰＡＧＩＮＧ＿ＩＮＴＥＲＶＡＬとオフセット情報ＯＦＦＳＥＴに相応するようにＮｏｔｉｆｉｃａｔｉｏｎメッセージを伝送するＰＣＨを伝送し、前記Ｎｏｔｉｆｉｃａｔｉｏｎメッセージを伝送するＰＣＨが存在するか否かを知らせる前記ＰＩＣＨを現在伝送の後に前記設定回数だけ反復して伝送する。この場合、前記Ｎｏｄｅ ＢがＰＩＣＨを反復的に伝送することによりＲＮＣの負荷を減少させるようになる。
【００５４】
一方、本発明のようなＭＢＭＳサービスの通知のための呼出し情報の送信、すなわち、ＰＣＨ信号の伝送を支援するためには、一般的な呼出しタイプ１メッセージ(paging type 1 message)に前記ＭＢＭＳの呼出しを支援するＭＢＭＳ呼出しメッセージ(MBMS paging message)が追加されなければならない。もちろん、前記ＭＢＭＳ呼出しメッセージは、別途の新たな構造で実現されることもできるが、本発明では、既存の呼出しタイプ１メッセージを変更するかまたは追加する形態で実現する場合を仮定して説明する。
【００５５】
ここで、前記既存の呼出しタイプ１メッセージに前記ＭＢＭＳの呼出しのために追加される情報エレメント(Information Element；以下、“ＩＥ”と略称する。)を説明すると次のようである。
【００５６】
既存の呼出しタイプ１メッセージのＩＥ Ｐａｇｉｎｇ Ｃａｕｓｅに“Ｔｅｒｍｉｎａｔｉｎｇ ＭＢＭＳ Ｃａｌｌ”の項目を追加し、ＩＥ ＵＥ識別子(UE Identity)にＴＭＧＩの項目を追加することができる。すなわち、前記“Ｔｅｒｍｉｎａｔｉｎｇ ＭＢＭＳ Ｃａｌｌ”は、ＵＥが前記呼出しメッセージを受信した場合、前記呼出しメッセージがＭＢＭＳサービスの開始を知らせる通知の意味を有することを認識するようになる。また、前記ＴＭＧＩは、実際にＵＥの識別子ではないが、前記ＵＥが受信しようとするＭＢＭＳサービスを示す識別子である。そこで、前記呼出しタイプ１メッセージにページングコーズ(Paging Cause)の追加を通じてＭＢＭＳサービスのための呼出しであることを認識し、ＴＭＧＩを通じて複数のＭＢＭＳサービスのうち自分の要請したＭＢＭＳサービスに対する呼出しであるか否かを認識するようになる。
【００５７】
また、前記呼出しタイプ１メッセージにＭＢＭＳ無線ベアラー情報が追加的に含まれることができるが、前記ＭＢＭＳ無線ベアラー情報は、階層２(Layer 2；以下、“Ｌ２”と称する。)情報及び階層１(Layer １；以下、“Ｌ１”と称する。)情報を含み、前記Ｌ２情報には、無線リンク制御(Radio Link Control；以下、“ＲＬＣ”と略称する。)／パケットデータ収斂プロトコル(Packet Data Convergence Protocol；以下、“ＰＤＣＰ”と略称する。)関連情報などが含まれることができる。そして、前記Ｌ１情報には、伝送フォーマットセット(Transport Format Set；以下、“ＴＦＳ”と略称する。)情報、伝送フォーマット組合せセット(Transport Format Combination Set；以下、“ＴＦＣＳ”と略称する。)情報、チャンネル化コード(channelization code)情報、伝送電力(transmit power)関連情報、及び活性化時間(activation time)情報などが含まれることができる。
【００５８】
一方、既存の呼出しタイプ１メッセージにはＢＣＣＨ修正(modification)情報が含まれているが、前記ＲＮＣで決定して変更したＰＣＨ伝送周期ＰＡＧＩＮＧ＿ＩＮＴＥＲＶＡＬ及びオフセット情報ＯＦＦＳＥＴは、前記ＢＣＣＨ修正情報を通じてＵＥへ伝達されることができる。
【００５９】
そして、前記ＲＮＣが前記ＭＢＭＳ関連呼出し情報を伝送するＰＣＨ信号の伝送回数を可変する場合、特定のＵＥが受信することを所望するＭＢＭＳサービスに対する情報を一回のみ伝送する場合には、前記ＵＥがＰＩＣＨを通じて伝送されるＭＩを受信し、前記ＭＩが前記ＵＥの自分が受信することを所望するＭＢＭＳサービスである場合、前記ＭＢＭＳ関連呼出し情報を伝送するＰＣＨ信号を受信しなければならない。しかし、前記ＵＥが前記ＭＢＭＳ関連呼出し情報を伝送するＰＣＨ信号を受信しようとする時点を基準にして、以前の時点で前記ＰＣＨ伝送が完了された場合にはＭＢＭＳ関連呼出し情報を獲得することが不能になる。そこで、前記ＲＮＣは、前記ＭＢＭＳ関連呼出し情報を伝送するＰＣＨ信号を所定の回数だけ反復するようになり、前記既存の呼出しタイプ１メッセージには、同一のＭＢＭＳ関連呼出し情報の伝送回数が幾度残っているかを示す新たなＩＥを追加する。ここで、前記同一のＭＢＭＳ呼出し情報の伝送回数が幾度残っているかを示すＩＥを“Ｐａｇｉｎｇ ＲＥＳ(Paging Residue)”と定義する。前記ＵＥは、 Ｐａｇｉｎｇ ＲＥＳを利用して同一のＭＢＭＳの関連呼出し情報が現在時点後の時点で幾度さらに反復して伝送されるかその回数を予測することできるので、以前に受信されたＭＢＭＳ関連呼出し情報を反復して復調する場合を除去するようになる。
【００６０】
図５は、本発明の実施例によるＵＥがＰＩＣＨ信号及びＰＣＨ信号を受信する時点を概略的に示すもので、特に、ＵＥが元来有しているＤＲＸサイクルの長さ(UE DRX cycle length)が５．１２秒であり、ＭＢＭＳ呼出しのためのＰＣＨを５１２フレームごと一回伝送する場合を示す。
【００６１】
図５を参照すると、まず、任意のＵＥは、ＳＦＮ２の時点に伝送されるＰＩＣＨ無線フレームの該当ＰＯ時点で伝送されるＰＩをモニタリング(monitoring)するために活性化する。ここで、前記ＵＥがモニタリングするＰＩは、一般的なＰＣＨ伝送を示すＰＩとＭＢＭＳサービスのための未使用領域に含まれているＭＢＭＳ ＰＩである。従って、前記ＵＥは、前記一般的なＰＣＨ信号の伝送を示すＰＩを復調し、また、前記ＭＢＭＳサービスのためのＰＣＨ信号の伝送を示すＭＢＭＳ ＰＩを復調する。図５を参照すると、前記一般的なＰＣＨ伝送を示すＰＩが“−１”に復調されて一般的なＰＣＨ伝送がないと仮定し、前記ＭＢＭＳサービスのためのＰＣＨ伝送を示すＰＩは、前記ＵＥが受信しようとするＭＢＭＳサービス識別子と同一のＭＢＭＳサービスがすぐ開始されることを示す情報を含むと仮定する。すなわち、ＭＢＭＳ呼出しのためのＰＣＨ伝送があることを示すと仮定する。従って、前記ＵＥは、前記ＭＢＭＳサービスのためのＰＣＨ伝送を示すＰＩを通じてＭＢＭＳサービスが開始されるＭＢＭＳ呼出しのためのＰＣＨ受信を準備する。
【００６２】
ここで、前記ＵＥへ伝送される前記ＭＢＭＳ呼出しのための現在のＰＣＨ信号は、すでに伝送された状態で次回伝送されるＭＢＭＳ呼出しのためのＰＣＨ信号を復調するために、前記ＵＥは、待機状態に遷移して次回に伝送されるＭＢＭＳ ＰＣＨ信号を待機する。すなわち、現在ＭＢＭＳ ＰＩを確認した時点で前記次回のＭＢＭＳ呼出しのためのＰＣＨの伝送時点まで十分な時間が残っている場合、前記ＵＥは、スリップモード(sleep mode)へ遷移し、前記スリップモードで前記次回のＭＢＭＳ呼出しのためのＰＣＨ信号の伝送時点でさらに活性化してＭＢＭＳ呼出しのためのＰＣＨ信号を受信する。一方、図５では、前記次回のＭＢＭＳ呼出しのためのＰＣＨを受信する時点とＰＩをモニタリングする時点とがほぼ同一であるので、すなわち、前記ＰＩをモニタリングする時点が前記次回のＭＢＭＳ呼出しのためのＰＣＨの受信時点より先行するので、前記ＵＥは、前記ＰＩをモニタリングする時点までスリップ状態に遷移する。そして、前記ＵＥが次回のＰＩを復調した結果が“１”であれば、一般的なＰＣＨ信号のみならず前記ＭＢＭＳサービスのためのＰＣＨ信号も復調する。
【００６３】
図６は、本発明の実施例によるＵＥの動作過程を示すフローチャートである。図６を参照すると、まず、ＵＥは、ステップ６０１で、ネットワーク、すなわち、ＵＴＲＡＮからＤＲＸパラメータ、例えば、ＤＲＸサイクルの長さ及びＰＩＣＨの直交可変拡散係数(Orthogonal Variable Spreading Factor；ＯＶＳＦ)コードなどのようなＤＲＸパラメータとＭＢＭＳ呼出しに関連したパラメータ、すなわち、ＭＢＭＳ ＰＡＧＩＮＧ＿ＩＮＴＥＲＶＡＬ及びＯＦＦＳＥＴを受信する。ステップ６０２で、前記ＵＥは、前記受信されたＤＲＸパラメータに相応するようにＤＲＸ動作を開始する。ここで、前記ＤＲＸ動作は、前述したように、前記ＤＲＸパラメータに相応するようにＰＩＣＨ信号を受信し、前記ＰＩＣＨの受信区間以外の区間ではスリップモードに遷移する動作を意味する。
【００６４】
ステップ６０３で、前記ＵＥは、以前に確認したＰＩＣＨに関連したＭＢＭＳ呼出しのためのＰＣＨ信号、すなわち、ペンディング中であるＭＢＭＳ呼出しのためのＰＣＨ信号を受信する時点であるか否かを検査する。前記検査結果、以前に確認したＰＩＣＨに関連したＭＢＭＳ呼出しのためのＰＣＨ信号を受信する時点である場合、前記ＵＥはステップ６０４へ進行する。ステップ６０４で、前記ＵＥは、前記ＭＢＭＳ呼出しのためのＰＣＨ信号を受信して終了する。しかし、ステップ６０３で、前記以前に確認したＰＩＣＨに関連したＭＢＭＳ呼出しのためのＰＣＨ信号を受信する時点ではない場合、前記ＵＥは、ステップ６０７へ進行する。ステップ６０７で、前記ＵＥは、ＰＩＣＨ信号を受信する時点であるか否か検査する。前記検査結果、ＰＩＣＨ信号を受信する時点ではない場合、前記ＵＥは、ステップ６０３へ戻る。前記ＰＩＣＨ信号を受信する時点であれば、前記ＵＥは、ステップ６０９へ進行する。ステップ６０９で、前記ＵＥは、その時点で前記ＰＩＣＨ信号を受信し、前記受信されたＰＩＣＨ信号を復調する。ここで、ＰＩＣＨ信号は、ＵＥのノーマルページング(Normal Paging)のためのＰＩＣＨ領域と本発明で説明したＭＢＭＳページング(MBMS Paging)のためのＭＢＭＳ ＰＩＣＨ領域とから構成されている。従って、ＵＥは、ＰＩＣＨをモニタリングする時点でＮｏｒｍａｌ ＰａｇｉｎｇのためのＰＩＣＨを確認した後、 ＭＢＭＳ ＰａｇｉｎｇのためのＰＩＣＨを確認する。ＭＢＭＳ Ｐａｇｉｎｇに対しては図６に示されているが、 Ｎｏｒｍａｌ Ｐａｇｉｎｇに対しては、当該技術分野における通常の知識を有する者には自明であるので、その説明を省略するものとする。
【００６５】
一方、ステップ６０９で前記ＰＩＣＨ信号を受信した後、ステップ６１３で前記ＵＥは、その時点で前記ＰＩＣＨ信号を受信し、前記受信されたＰＩＣＨ信号を復調し、前記ＰＩＣＨの復調結果未使用領域のＭＢＭＳ ＰＩが“１”であるか否かを検査する。前記検査結果、前記ＭＢＭＳ ＰＩが“１”ではない場合、前記ＵＥは、ステップ６０３へ戻る。一方、前記ＭＢＭＳ ＰＩが“１”である場合、前記ＵＥは、ステップ６１６で、ＭＢＭＳ ＰＣＨ信号を受信して復調する。このとき、前記ＵＥは、ＭＢＭＳ ＰＣＨ信号が近い時点で受信されるか否かを検査する。ここで、前記ＵＥは、すでにＲＮＣからＭＢＭＳ関連呼出し情報が伝送されるＰＣＨ伝送周期ＰＡＧＩＮＧ＿ＩＮＴＥＲＶＡＬ及びオフセット情報ＯＦＦＳＥＴを受信して認識しているから、前記ＭＢＭＳ ＰＣＨ信号が受信される時点を予測することができる。また、前記“近い時点”とは、前記ＵＥのＤＲＸ動作による利得を得ることができない程度に近い時間を意味する。前記検査結果、近い時点で前記ＭＢＭＳ ＰＣＨ信号が受信されないと、前記ＵＥは、ＤＲＸ動作に戻る。ここで、前記ＭＢＭＳ ＰＣＨ信号が近い時点で受信されると、前記ＵＥは、ＭＢＭＳ ＰＣＨ信号を受信して復調を遂行する。
【００６６】
図７は、本発明の実施例によるＲＮＣの動作過程を示すフローチャートである。ＲＮＣの動作過程の開始時点は、図２及び図３を参照して説明したように、ＳＧＳＮからＭＢＭＳ関連メッセージを受信した時点以後の時点であると仮定する。ここで、図２で説明したように、ＳＧＳＮがＰＣＨ伝送周期ＰＡＧＩＮＧ＿ＩＮＴＥＲＶＡＬ及びオフセット情報ＯＦＦＳＥＴを決定する場合に、前記ＲＮＣの動作は、特定のＭＢＭＳサービスを識別するためのＴＭＧＩ、ＵＥ ＩＤ、ＰＡＧＩＮＧ＿ＩＮＴＥＲＶＡＬ、及びＯＦＦＳＥＴを受信した以後始まる。一方、図３で説明したように、ＲＮＣがＰＣＨ伝送周期ＰＡＧＩＮＧ＿ＩＮＴＥＲＶＡＬ及びオフセット情報ＯＦＦＳＥＴを決定する場合に、前記ＲＮＣがＴＭＧＩとＵＥ ＩＤのみを受信した以後ＲＮＣ動作が始まる。
【００６７】
図７を参照すると、ステップ７０１で、前記ＲＮＣは、ＳＧＳＮからＭＢＭＳサービスに対するＰＣＨ伝送周期ＰＡＧＩＮＧ＿ＩＮＴＥＲＶＡＬとオフセット情報ＯＦＦＳＥＴを受信したか否かを検査する。前記検査結果、前記ＭＢＭＳサービスに対するＰＣＨ伝送周期ＰＡＧＩＮＧ＿ＩＮＴＥＲＶＡＬ及びオフセット情報ＯＦＦＳＥＴを受信できない場合、前記ＲＮＣはステップ７０２へ進行する。ここで、図３を参照して説明したように、前記ＲＮＣがＰＣＨ伝送周期ＰＡＧＩＮＧ＿ＩＮＴＥＲＶＡＬ及びオフセット情報ＯＦＦＳＥＴを決定する場合は、ステップ７０１で、前記ＭＢＭＳサービスに対するＰＣＨ伝送周期ＰＡＧＩＮＧ＿ＩＮＴＥＲＶＡＬ及びオフセット情報ＯＦＦＳＥＴを受信できない状態になる。ステップ７０２で前記ＲＮＣは、前記ＳＧＳＮから受信したＴＭＧＩを使用してＰＣＨ伝送周期ＰＡＧＩＮＧ＿ＩＮＴＥＲＶＡＬ及びオフセット情報ＯＦＦＳＥＴを計算してステップ７０３へ進行する。ここで、前記ＲＮＣが前記ＳＧＳＮから受信したＴＭＧＩを使用してＰＣＨ伝送周期ＰＡＧＩＮＧ＿ＩＮＴＥＲＶＡＬ及びオフセット情報ＯＦＦＳＥＴを計算する過程は、前記式(4)で説明したようである。一方、ステップ７０１で、前記ＭＢＭＳサービスに対するＰＣＨ伝送周期ＰＡＧＩＮＧ＿ＩＮＴＥＲＶＡＬ及びオフセット情報ＯＦＦＳＥＴを受信した場合、前記ＲＮＣはステップ７０３へ進行する。ここで、前記ＳＧＳＮがＰＣＨ伝送周期ＰＡＧＩＮＧ＿ＩＮＴＥＲＶＡＬ及びオフセット情報ＯＦＦＳＥＴを決定する場合は、ステップ７０１で、前記ＭＢＭＳサービスに対するＰＣＨ伝送周期ＰＡＧＩＮＧ＿ＩＮＴＥＲＶＡＬ及びオフセット情報ＯＦＦＳＥＴを受信した状態になる。
【００６８】
ステップ７０３で、前記ＲＮＣは、前記ＰＣＨ伝送周期ＰＡＧＩＮＧ＿ＩＮＴＥＲＶＡＬ及びオフセット情報ＯＦＦＳＥＴとＴＭＧＩを該当ＵＥに伝送し、ステップ７０４へ進行する。ステップ７０４で、前記ＲＮＣは、前記ＰＣＨ伝送周期ＰＡＧＩＮＧ＿ＩＮＴＥＲＶＡＬ及びオフセット情報ＯＦＦＳＥＴを伝送するためにＩｕｂフレームプロトコルのデータフレーム構造でＭＩを“１”に設定する。また、ＭＢＭＳ ＰＩビットマップに前記ＴＭＧＩに対応するＭＢＭＳ ＰＩを割り当てる。また、ＰＩＣＨを伝送するためのＰＩＣＨ ＤＵＲＡＴＩＯＮを設定してＮｏｄｅ Ｂへ伝送する。ここで、前記ＭＩは、データフレームのペイロッドにＭＢＭＳ ＰＩビットマップが存在するか否かを示し、前記ＭＢＭＳ ＰＩビットマップは、ＭＢＭＳ ＰＩを表示する値を示し、ＰＩＣＨ ＤＵＲＡＴＩＯＮは、前記ＭＢＭＳ ＰＩの伝送区間を示す。一方、ステップ７０３でＵＥにＰＣＨ伝送周期ＰＡＧＩＮＧ＿ＩＮＴＥＲＶＡＬ、オフセット情報ＯＦＦＳＥＴ、及びＴＭＧＩを伝送する時点及び、ステップ７０４でＮｏｄｅ Ｂに前記Ｉｕｂフレームプロトコルのデータフレームを伝送する時点は同一の時点になることもでき、相異な時点になることもできる。
【００６９】
ステップ７０５で、前記ＲＮＣは、前記ＵＥに伝送したＰＣＨ伝送周期ＰＡＧＩＮＧ＿ＩＮＴＥＲＶＡＬ及びオフセット情報ＯＦＦＳＥＴに従ってＵＥがＰＣＨを受信することができるように、本発明で提案した呼出しタイプ１メッセージをＮｏｄｅ Ｂへ伝送してステップ７０６へ進行する。前述したように、前記呼出しタイプ１メッセージは、既存の呼出しタイプ１メッセージのＩＥ Ｐａｇｉｎｇ ＣａｕｓｅにＭＢＭＳサービスが開始されることを知らせる“Ｔｅｒｍｉｎａｔｉｎｇ ＭＢＭＳ Ｃａｌｌ”の項目を追加し、ＩＥ ＵＥ識別子(UE Identity)にＴＭＧＩの項目を追加し、同一のＭＢＭＳ関連呼出し情報の伝送回数が幾度残っているかを示すＰａｇｉｎｇ ＲＥＳ ＩＥを追加したメッセージである。ここで、前記呼出しタイプ１メッセージを伝送する回数は予め設定することができ、例えば、ｍ回で設定すると仮定する。
【００７０】
ステップ７０６で、前記ＲＮＣは、前記呼出しタイプ１メッセージをｍ回伝送したか否かを検査する。前記呼出しタイプ１メッセージをｍ回伝送しなかった場合、前記ＲＮＣは、ステップ７０５へ戻って前記ＭＢＭＳ関連呼出し情報を反復して伝送する。一方、ステップ７０６で、前記呼出しタイプ１メッセージをｍ回伝送した場合、前記ＲＮＣは終了する。前述したように、本発明は、ＰＩＣＨ区間の間ＭＢＭＳ関連情報を有しているＰＣＨを複数回伝送することができる。従って、前記ＲＮＣは、前記ＰＣＨの反復伝送回数ｍを前記ＰＩＣＨ ＤＵＲＡＴＩＯＮ及びオフセット情報ＯＦＦＳＥＴにより決定するか、またはシステムで予め決定することもできる。
【００７１】
以上、本発明の詳細について具体的な実施形態に基づき説明してきたが、本発明の範囲を逸脱しない限り、各種の変形が可能なのは明らかである。従って、本発明の範囲は、上記実施形態に限るものでなく、特許請求の範囲のみならず、その範囲と均等なものにより定められるべきである。
【図面の簡単な説明】
【００７２】
【図１】移動通信システムでＭＢＭＳサービスを提供するためのネットワーク構造を概略的に示す図。
【図２】本発明の一実施例によるＳＧＳＮがＰＣＨ伝送周期ＰＡＧＩＮＧ＿ＩＮＴＥＲＶＡＬとオフセット情報ＯＦＦＳＥＴを決定する場合の制御メッセージの送受信過程を示す信号のフローチャート。
【図３】本発明の他の実施例によるＲＮＣがＰＣＨ伝送周期ＰＡＧＩＮＧ＿ＩＮＴＥＲＶＡＬとオフセット情報ＯＦＦＳＥＴを決定する場合の制御メッセージの送受信過程を示す信号のフローチャート。
【図４】本発明の実施例によるＭＢＭＳ ＰＩを伝送するためのＩｕｂフレームプロトコルのデータフレーム構造を概略的に示す図。
【図５】本発明の実施例によるＵＥのＰＩＣＨ及びＰＣＨの受信時点を概略的に示す図。
【図６】本発明の実施例によるＵＥの動作過程を示すフローチャート。
【図７】本発明の実施例によるＲＮＣの動作過程を示すフローチャート。
【図１】
2004159334.tif 000008
【図２】
2004159334.tif 000009
【図３】
2004159334.tif 000010
【図４】
2004159334.tif 000011
【図５】
2004159334.tif 000012
【図６】
2004159334.tif 000013
【図７】
2004159334.tif 000014
【外国語明細書】
2004159334.tif 000015
2004159334.tif 000016
2004159334.tif 000017
2004159334.tif 000018
2004159334.tif 000019
2004159334.tif 000020
2004159334.tif 000021
2004159334.tif 000022
2004159334.tif 000023
2004159334.tif 000024
2004159334.tif 000025
2004159334.tif 000026
2004159334.tif 000027
2004159334.tif 000028
2004159334.tif 000029
2004159334.tif 000030
2004159334.tif 000031
2004159334.tif 000032
2004159334.tif 000033
2004159334.tif 000034
2004159334.tif 000035
2004159334.tif 000036
2004159334.tif 000037
2004159334.tif 000038
2004159334.tif 000039
2004159334.tif 000040
2004159334.tif 000041
2004159334.tif 000042
2004159334.tif 000043
2004159334.tif 000044
2004159334.tif 000045
2004159334.tif 000046
2004159334.tif 000047
2004159334.tif 000048
2004159334.tif 000049
2004159334.tif 000050